(57)【要約】【課題】簡単な操作で減圧弁の減圧機能を無効に設定したり、また有効に設定できるようにした減圧弁を提供する。【解決手段】一次側圧力室２と二次側圧力室３を区画する隔壁７を内部に有し、該隔壁７に一次側圧力室と前記二次側圧力室を連通する弁口８を開設した弁ユニット４と、弁ユニット４の内部に設けられ、二次側圧力室３の圧力に応じて変位する弁棒９と、該弁棒９に支持され、弁口８を開閉する弁体５とを備えた減圧弁において、弁棒９は、弁体５の開弁方向への移動に伴って弁ユニット４の外部に突出する延長軸部３１を有しており、開弁状態で弁ユニット４の外部に突出する延長軸部３１を保持して弁棒９の閉弁方向への変位を規制する規制手段３０を設けた構成である。【選択図】図３
2008299700.tif 000002
【特許請求の範囲】
【請求項１】
一次側圧力室と二次側圧力室を区画する隔壁を内部に有し、該隔壁に前記一次側圧力室と前記二次側圧力室を連通する弁口を開設した弁ユニットと、前記弁口を開閉する弁体と、前記弁体を支持する弁棒と、前記弁棒に連結され前記二次側圧力室の圧力変動に応じて変位するダイヤフラムと、前記ダイヤフラムを開弁方向へ付勢する調整バネとを備え、前記二次側圧力室の圧力上昇に伴い前記ダイヤフラムが前記調整バネの付勢力に抗して前記弁体を閉弁方向へ移動させることにより前記二次側圧力室の圧力を低下させる減圧弁であって、
前記弁棒は、前記弁体の開弁方向への移動に伴って前記弁ユニットの外部に突出する延長軸部を有しており、
開弁状態で前記弁ユニットの外部に突出する前記延長軸部を保持して前記弁棒の閉弁方向への変位を規制する規制手段を設けたことを特徴とする減圧弁。
【請求項２】
前記規制手段は、前記弁体が開弁位置にあるときに前記弁ユニットの外部に露出するように前記延長軸部に貫通形成した留め孔と、該留め孔に挿通する留め具から成る請求項１に記載の減圧弁。
【請求項３】
前記弁ユニットの外部に出入する前記延長軸部を保護する保護カバーを更に備える請求項１又は２に記載の減圧弁。
【発明の詳細な説明】
【技術分野】
【０００１】
本発明は、水道配管途中に設置される戸別給水用の減圧弁に関する。
【背景技術】
【０００２】
戸別給水用の減圧弁は、集合住宅等の水道配管の途中適所に取り付けられ、二次側圧力に応じて弁体を開閉させることにより、二次側圧力が所定値以下となるように減圧させるものである。一般にこの種の減圧弁は、０．０７〜１．０ＭＰａ程度の一次側圧力を０．０５〜０．３０ＭＰａ程度の二次側圧力に減圧するように設計されている。
【０００３】
ところで、集合住宅等に対する戸別配管の施工が完了すると、配管全体に対して所定圧力をかけることにより各部の水漏れの有無を検査する水圧検査が行われる。この水圧検査では一次側圧力が１．７５ＭＰａ程度となり、配管中に減圧弁があると、減圧弁の二次側に過度の圧力負荷が掛かり、減圧弁を破損するおそれがある。また、水圧検査時に減圧弁の減圧機構が有効に作用すると、二次側圧力が低下するので、所定圧力での水圧検査が行えないという問題もある。
【０００４】
そのため従来は、減圧弁の蓋体を断面凹状に形成し、該蓋体の凹面を減圧弁に対向させて施蓋したときには減圧機能が有効に作用する一方、該蓋体を上下反転させて施蓋したときには反転面が減圧弁内部の弁棒を押さえ、二次側圧力の上昇に伴う閉弁動作を規制することができる減圧弁が提案されている（例えば、特許文献１）。この減圧弁によれば、水圧検査の際、蓋体を上下反転させて施蓋することにより一時的に減圧弁の減圧機能が作用しないように設定でき、水圧検査時に減圧弁の破損を防止できると共に、二次側圧力の低下を防止できる。そして水圧検査が終了すれば、蓋体を再び上下反転させて施蓋することにより減圧弁の減圧機能が有効に機能する状態にできる。
【０００５】
【特許文献１】特開２００３−１３１７４２号公報
【発明の開示】
【発明が解決しようとする課題】
【０００６】
しかしながら、上記特許文献１の減圧弁では、水圧検査の際に蓋体を上下反転させる必要があると共に、水圧検査を終えると再び蓋体を上下反転させて施蓋しておく必要があり、非常に手間がかかる。特に蓋体は減圧弁に対して螺合して施蓋するものが多く、上下反転操作の際、蓋体の脱着に時間がかかる。このような問題は、特に集合住宅のように戸数の多い場合に顕著となり、水圧検査前後での蓋体の上下反転作業に長時間を要し、作業効率を低下させる要因となっている。
【０００７】
本発明は、上記従来の問題点を解決することを目的としてなされたものであり、蓋体を脱着させることなく、簡単な操作で減圧弁の減圧機能を無効に設定したり、また有効に設定できるようにして水圧検査前後における作業効率を向上させることのできる減圧弁を提供するものである。
【課題を解決するための手段】
【０００８】
上記目的を達成するため、本発明が解決手段として採用したところは、一次側圧力室と二次側圧力室を区画する隔壁を内部に有し、該隔壁に前記一次側圧力室と前記二次側圧力室を連通する弁口を開設した弁ユニットと、前記弁口を開閉する弁体と、前記弁体を支持する弁棒と、前記弁棒に連結され前記二次側圧力室の圧力変動に応じて変位するダイヤフラムと、前記ダイヤフラムを開弁方向へ付勢する調整バネとを備え、前記二次側圧力室の圧力上昇に伴い前記ダイヤフラムが前記調整バネの付勢力に抗して前記弁体を閉弁方向へ移動させることにより前記二次側圧力室の圧力を低下させる減圧弁であって、前記弁棒は、前記弁体の開弁方向への移動に伴って前記弁ユニットの外部に突出する延長軸部を有しており、開弁状態で前記弁ユニットの外部に突出する前記延長軸部を保持して前記弁棒の閉弁方向への変位を規制する規制手段を設けた点にある。かかる構成によれば、開弁状態において弁ユニットの外部に突出する延長軸部を規制手段によって保持させるだけで弁棒の閉弁方向への変位が規制され、減圧弁による減圧機能は作用しなくなる。
【０００９】
また上記構成において、前記規制手段は、前記弁体が開弁位置にあるときに前記弁ユニットの外部に露出するように前記延長軸部に貫通形成した留め孔と、該留め孔に挿通する留め具から構成することが好ましい。かかる構成によれば、留め具を留め孔に挿通するだけで弁棒の閉弁方向への変位を規制でき、減圧弁による減圧機能を無効に設定できると共に、減圧機能を有効に設定する場合には、留め孔から留め具を引き抜けば良い。
【００１０】
また上記構成の減圧弁は、前記弁ユニットの外部に出入する前記延長軸部を保護する保護カバーを更に備えた構成とすることが好ましい。かかる構成によれば、保護カバーにより弁ユニットの外部に出入する延長軸部及びその周辺を保護することができる。
【発明の効果】
【００１１】
請求項１に記載の発明によれば、開弁状態で弁ユニットの外部に突出する延長軸部を規制手段によって保持させるだけで弁棒の閉弁方向への変位を規制することができ、減圧弁による減圧機能が作用しなくなる。よって、水圧検査の際には、規制手段により延長軸部を保持させることにより、減圧弁の減圧機能を簡単に無効に設定できるので、従来のように蓋体の脱着操作は必要でなく、操作性が向上する。
【００１２】
また請求項２に記載の発明によれば、規制手段が、弁体が開弁位置にあるときに弁ユニットの外部に露出するように延長軸部に貫通形成した留め孔と、該留め孔に挿通する留め具から構成されるので、留め具を留め孔に挿通するだけで弁棒の閉弁方向への変位を規制することができる。したがって、水圧検査の際には、留め孔に留め具を装着して延長軸部を保持させることにより、減圧弁の減圧機能を簡単に無効に設定できるので、従来のように蓋体の脱着操作は必要でなく、操作性が向上する。
【００１３】
また請求項３に記載の発明によれば、弁ユニットの外部に出入する延長軸部を保護する保護カバーを備えるので、保護カバー内には異物が侵入せず、通水時において延長軸部の出入動作を常にスムーズに行うことができる。また保護カバーの内側に留め孔から引き抜いた留め具を収納しておくことができるので、留め具の紛失を防止することもできる。
【発明を実施するための最良の形態】
【００１４】
以下図面に基づいて本発明の好ましい実施形態を詳述する。図１乃至図４は本発明の一実施形態である減圧弁１を示す図である。この減圧弁１は、一次側圧力室２と二次側圧力室３を区画する隔壁７を内部に有し、該隔壁７に一次側圧力室２と二次側圧力室３を連通する弁口８を開設した弁ユニット４と、この弁ユニット４に一体的に組み付けられ、二次側圧力室３の圧力変動に応じて弁体５を変位させて弁開度を調整する減圧機構部６を備えて構成される。
【００１５】
弁ユニット４の内部中央に設けられる隔壁７は一次側圧力室２と二次側圧力室３を上下に区画しており、弁口８は一次側圧力室２と二次側圧力室３を上下に連通させるように開設されている。弁体５は弁棒９によって弁口８の下方に支持されており、弁棒９の上下動によって弁口８を開閉すると共に、その弁開度を調整可能なように設けられている。一次側圧力室２の側面には流入口１０が設けられると共に、二次側圧力室３の側面には流出口１１が設けられている。また一次側圧力室２の内部にはストレーナ１２が設けられており、該ストレーナ１２において微細なゴミ等を取り除くことができるようになっている。通水状態では流入口１０から流入する水が一次側圧力室２においてストレーナ１１を通過した後、弁口８から二次側圧力室３に流入し、流出口１０から後段の配管に流出するようになっている。
【００１６】
弁ユニット４の上部には略円形状に開口形成された凹部１３を有し、該凹部１３は二次側圧力室３に連通している。そして減圧機構部６は凹部１３が設けられた弁ユニット４の上部に対して組み付けられている。
【００１７】
減圧機構部６は、弁体５に弁棒９を介して連結され、二次側圧力室３の圧力変動に応じて変位するダイヤフラム１４と、ダイヤフラム１４を開弁方向へ付勢する調整バネ１５と、調整バネ１５を包囲するように弁ユニット４の上部に固定したバネカバー１６と、調整バネ１５を開弁方向へ押圧するようにバネカバー１６内に上下動自在に螺着した調整ねじ１７と、バネカバー１６の上端開口部１６ａを閉塞する蓋体１８とを備えている。ダイヤフラム１４は略円形状のゴム板等で構成され、その周縁部が弁ユニット４の上部に設けた凹部１３の周壁１３ａとバネカバー１６の周縁部１６ｂとの間に挟まれた状態で水密状に固定されている。調整バネ１５はダイヤフラム１４の上面に接合したダイヤフラム押さえ板１９に設けたリング部材１９ａと調整ねじ１７の間に圧縮介装されている。調整ねじ１７は略円柱状の部材で構成され、その周囲側面にバネカバー１６上部の円筒部１６ｃの内面に形成した雌ねじと螺合する雄ねじ１７ａを備えると共に、雄ねじ１７ａの上部にはバネカバー１６の円筒部１６ｃ内面と接合してバネカバー１６の内部を水密状に閉塞するＯリング１７ｂを備えている。調整ねじ１７の上面には調整ねじ１７を回動させるための六角孔等のツール差込１７ｃが形成されている。この調整ねじ１７をバネカバー１６の円筒部１６ａ内で上下に移動させることにより、調節バネ１５の弾性力を調整し、その下部のダイヤフラム１３の変位を調整している。調整ねじ１７を調整した後、蓋体１８を施蓋してバネカバー１６の上端開口部１６ａを閉塞しておくことにより、通水時に誤って調整ねじ１７が操作されることを防止する。
【００１８】
弁ユニット４の上部に設けた凹部１３において、弁口８に対応する中央部には、筒状開口部２１を設けており、この筒状開口部２１は一次側圧力室２に連通している。弁口８を挿通した弁棒９は筒状開口部２１に挿通されており、弁棒９の筒状開口部２１に対応する部分には、筒状開口部２１の内面に対して水密に接合し、かつ筒状開口部２１の内側を上下に摺動する摺動部材９ａが設けられている。弁棒９の下部は一次側圧力室２から弁口８を介して二次側圧力室３に挿通している。また弁棒９の上部はダイヤフラム１４の中心部を貫通している。この弁棒９のダイヤフラム１４の下部にはダイヤフラム１４の下面に接合するナット２２が螺合締着されると共に、ダイヤフラム１４の上部にはダイヤフラム押さえ板１９を固定するためのナット２０が螺合締着されており、上述のダイヤフラム押さえ板１９はナット２０によって弁棒９の上端部に連結されている。このようにダイヤフラム１４はナット２２，２０により弁棒９に対して連結されており、ナット２２の上面がダイヤフラム１４の下面に対して水密状に接合すると共に、ダイヤフラム押さえ板１０の下面がダイヤフラム１４の上面に対して水密状に接合しており、弁棒９が貫通するダイヤフラム１４の中心部からは水漏れが生じない構造となっている。ダイヤフラム１４の下面に接合するナット２２は、筒状開口部２１の開口径よりも大径に形成し、図１に示すようにダイヤフラム１４が最下限に変位した状態で、このナット２２が開口部２１の周縁に着座して弁体５が更に開弁方向に移動することを規制する。弁体５は一次側圧力を開弁方向に受けるように、弁口８に挿通された弁棒９の二次側圧力室３内に設けられており、弁口８の周囲下端に設けた弁座２３に対して接離自在に構成されている。
【００１９】
弁棒９の下部は、弁ユニット４を水密状に貫通する延長軸部３１を有しており、該延長軸部３１の先端部が弁体５の開閉動作に伴って弁ユニット４の外部に出入するように構成されている。具体的には、弁棒９の下部に設けた延長軸部３１は、弁体５の開弁動作に伴い、弁ユニット４の外部に突出する。そして図３及び図４に示すように弁ユニット４の下部には、弁体５が開弁位置にある状態で弁ユニット４の外側に突出する延長軸部３１を保持して弁棒９の閉弁方向への変位を規制する規制手段３０を有している。この規制手段３０は、弁体５が開弁位置にあるときに弁ユニット４の外部に露出するように延長軸部３１に貫通形成した留め孔３２と、この留め孔３２に対して着脱自在に挿通するピン等の留め具３３から構成される。
【００２０】
弁ユニット４の下部において、弁口８に対応する中央部には、弁体５を取り付けたり、交換するための開口４ａが形成されており、通水時にはこの開口４ａを閉塞するための閉塞部材３５が設けられる。この閉塞部材３５の側面は、開口４ａの内面と螺合すると共に、開口４ａの内面と接合するＯリング３６を備えており、開口４ａを水密状に閉塞する。閉塞部材３５の中心には弁棒９と同軸の挿通孔３７を貫通形成しており、該挿通孔３７の内面にはＯリング３８が設けられている。弁棒９の下部を延長した延長軸部３１は、Ｏリング３８と接合して閉塞部材３５の挿通孔３７に水密状に挿通しており、その先端が弁ユニット４の下部から突出するようになっている。この延長軸部３１の側面の適所には留め孔３２が貫通形成される。留め孔３２は弁体５が開弁位置にあるときに閉塞部材３５から外部に露出し、弁体５が閉弁方向に移動したときには閉塞部材３５の挿通孔３７の内側に入り込む位置に形成される。尚、延長軸部３１は弁棒９と一体形成したものであっても良いし、ねじ結合等で弁棒９の下端部に連結した構造であっても良い。そして閉塞部材３５には弁ユニット４の下部から出入する延長軸部３１を保護するための着脱自在な保護カバー３９が設けられる。
【００２１】
上記構成の減圧弁１は、通水状態において二次側圧力室３の圧力が上昇すると、凹部１３の水圧も上昇し、ダイヤフラム１４を調整バネ１５の付勢力に抗して押し上げる。ダイヤフラム１４が押し上げられると、弁棒９がこれに連動し、弁体５を閉弁方向に移動させ、二次側圧力を低下させるように機能する（図２参照）。このとき弁棒９の下部を延長した延長軸部３１も弁棒９と一体的に閉弁方向に移動するので、延長軸部３１は弁ユニット４の内側方向に移動し、留め孔３２は閉塞部材３５の内側に入り込む。そして二次側圧力が低下していくと、ダイヤフラム１４を押し上げる力が低下し、ダイヤフラム１４は調整バネ１５の付勢力によって押し下げられる。ダイヤフラム１４が押し下げられると、弁棒９がこれに連動し、弁体５を開弁方向に移動させ、二次側圧力の更なる低下を抑制する（図１参照）。このとき延長軸部３１も弁棒９と一体的に開弁方向に移動するので、延長軸部３１は弁ユニット４の外側に突出するようになり、留め孔３２が閉塞部材３５から外側に露出する。このように減圧弁１は、通常の通水状態において、二次側圧力室３の圧力に応じて弁体５の弁開度が調整され、二次側圧力が所定圧力となるように減圧機能が作用する。
【００２２】
そして水圧検査を行う際には、図３に示すように弁体５が開弁位置にある状態で、弁ユニット４の外側に突出する延長軸部３１の留め孔３２に対して留め具３３を装着することにより、弁棒９を保持して弁体５が閉弁方向に移動することを規制する。留め具３３は、留め孔３２よりも小径の棒状部材で構成され、留め孔３２に挿通して装着されると共に、両端に折曲部３４を形成して留め具３３が留め孔３２から自然離脱することを防止する抜け止め手段を構成している。留め具３３が留め孔３２に装着されることにより、留め具３３の両端部が閉塞部材３５の下面と係合するので、弁棒９の閉弁方向への変位は規制され、弁体５は開弁位置にて保持される。したがって、減圧弁１による減圧機能が無効となり、二次側圧力が上昇した場合であっても弁棒９は変位せず、弁口８を開放したままで保持される。尚、留め具３３を可撓性のある直線状の線材で構成し、留め孔３２に装着した後に両端を折曲して抜け止め手段となる折曲部３４を形成し、留め具３３を留め孔３２から引き抜く際には折曲部３４を再び直線状に戻して引き抜くようにしても良い。
【００２３】
図４は留め具３３の着脱操作を示す図である。水圧検査時には、弁ユニット４の底部から保護カバー３９を取り外し、延長軸部３１の留め孔３２に対して留め具３３を挿通して弁棒９が閉弁方向に変位することを規制し、減圧弁１において減圧機能が作用しないように設定する。そして水圧検査後は、留め具３３を留め孔３２から引き抜き、減圧弁１による減圧機能を有効に設定して通常の通水を開始する。そして通水時には必要に応じて保護カバー３９を取り付けておくことにより、延長軸部３１が出入する挿通孔３７にゴミ等の異物が詰まって弁棒９の上下動の妨げになることを防止できる。
【００２４】
したがって、本実施形態の減圧弁１を配管途中に設けて施工した場合、施工後の水圧検査時には、弁体５が開弁位置にあるときに弁ユニット４の外側に突出する延長軸部３１の留め孔３２に対して留め具３３を装着して弁棒９を保持しておくことにより、減圧弁１の減圧機能が作用しないように設定でき、その状態で水圧検査を行うことができると共に、水圧検査時にダイヤフラム１４に過度の圧力負荷がかかることを抑制して減圧弁１が破損することを防止できる。そして水圧検査が終了すれば、留め孔３２から留め具３３を引き抜くことにより、減圧弁１の減圧機能が有効に作用するように設定でき、その状態で通常の通水を行えば良い。かかる減圧弁１によれば、従来のように水圧検査時に蓋体を上下反転させるための脱着操作が必要でなく、減圧機能を無効に設定するための操作或いは有効に設定するための操作が極めて簡単になり、効率的な設定操作が可能になる。特に集合住宅のように戸数の多い場合には、水圧検査前後における減圧弁１の設定切替作業に要する時間が顕著に短縮され、作業効率が向上する。尚、水圧検査後は、引き抜いた留め具３３を保護カバー３９の内部に収容しておけば、留め具３３の紛失を防止でき、再度水圧検査を行う場合に再利用できる。
【図面の簡単な説明】
【００２５】
【図１】減圧弁において減圧機能を有効に設定しており、弁体が開弁方向に移動した状態を示す図である。
【図２】減圧弁において減圧機能を有効に設定しており、弁体が閉弁方向に移動した状態を示す図である。
【図３】減圧弁に設けた規制手段により減圧機能を無効に設定しており、弁体を開弁位置で保持した状態を示す図である。
【図４】減圧弁における留め具の着脱操作を示す図である。
【符号の説明】
【００２６】
１  減圧弁
２  一次側圧力室
３  二次側圧力室
４  弁ユニット
５  弁体
９  弁棒
１４  ダイヤフラム
１５  調整バネ
３０  規制手段
３１  延長軸部
３２  留め孔
３３  留め具
３７  挿通孔
３９  保護カバー
【図１】
2008299700.tif 000003
【図２】
2008299700.tif 000004
【図３】
2008299700.tif 000005
【図４】
2008299700.tif 000006